(57)【特許請求の範囲】
【請求項１】
複数のアンテナと共用の１つの受信回路との間に、複数のスイッチを有するスイッチ回路を接続し、前記アンテナを前記スイッチによって選択的に前記受信回路に接続することにより、当該スイッチによる時分割多重によって電波を受信する時分割多重のアレーアンテナにおいて、
電波受信時の各アンテナの位相を算出し、前記スイッチの切換順序を、前記位相が進む方向又は遅れる方向の固定の一方向に設定することにより、どのアンテナを切換順序１番としても受信電力を同様とするスイッチ切換順序設定手段を備えた
ことを特徴とするアレーアンテナ。
【請求項２】
前記スイッチ切換順序設定手段は、前記スイッチ切換順序を変更する前の順序において相関ベクトルを求め、前記相関ベクトルを基に前記スイッチ切換順序を設定する
ことを特徴とする請求項１に記載のアレーアンテナ。
【請求項３】
前記スイッチ切換順序設定手段は、前記スイッチ切換順序を変更する前の順序において受信信号の到来方向推定を行い、その推定した方向から算出されたモードベクトルを基に前記スイッチ切換順序を設定する
ことを特徴とする請求項１に記載のアレーアンテナ。
【請求項４】
複数の前記アンテナの配置が点対称となっている
ことを特徴とする請求項１〜３のうちいずれか一項に記載のアレーアンテナ。
【請求項５】
アダプティブ制御によって信号を処理するアダプティブ方式である
ことを特徴とする請求項１〜４のうちいずれか一項に記載のアレーアンテナ。
【請求項６】
前記アンテナの配列形状を円形状とすることにより、全方向に対して受信電力が均一となり得る順序に設定されている
ことを特徴とする請求項１〜５のうちいずれか一項に記載のアレーアンテナ。
【請求項７】
前記スイッチ切換順序設定手段は、まず、全方向に対して受信電力が均一となったスイッチ切換順序で電波を受信し、この受信信号を基に、必要とする最終的なスイッチ切換順序を設定する
ことを特徴とする請求項６に記載のアレーアンテナ。
【発明の詳細な説明】
【技術分野】
【０００１】
本発明は、アレー状に配列された複数のアンテナにより通信するアレーアンテナに関する。
【背景技術】
【０００２】
近年、無線ＬＡＮ（Local Area Network）、携帯電話、地上デジタル放送のモバイル受信機等、アダプティブアレーアンテナを応用した無線機器の使用が日常化してきている傾向にあり、結果、これら無線機器の低コスト化の必要性が益々高まってきている。しかし、アダプティブアレーアンテナは、原理的に、フィルタ、アンプ、ダウンコンバータ、Ａ／Ｄコンバータ等のアナログ回路がアンテナ数分必要となるので、例えば単一アンテナの無線機器と比較すると、高コストになるという問題があった。
【０００３】
そこで、これを解決する方法として、例えばスイッチによる時分割多重を用いて、アナログ回路を削減する方式（C-TDM-AAA：Conventional Time-Division Multiplexing Adaptive Array Antenna）のアダプティブアレーアンテナが過去に提案されている（非特許文献１参照）。非特許文献１では、無線機器が使用する帯域幅とスイッチ切換速度、フィルタ帯域幅、サンプリング速度が満たすべき条件に関して詳細に検討がなされ、適切なタイミングでスイッチ切り換え、サンプリングを行った場合、各アンテナの受信信号が完全に再生可能であることが示されている。
【先行技術文献】
【非特許文献】
【０００４】
【非特許文献１】A CMA Adaptive Array Antenna System with a Single Receiver Using Time-Division Multiplexing,（IEICE Trans. Commun., vol. E84-B, no. 6, pp. 1637-1646, June 2001.）
【発明の概要】
【発明が解決しようとする課題】
【０００５】
ところで、時分割多重の場合、あるスイッチを接続した際に取り込んだ受信信号と、他のスイッチを接続した際に取り込んだ信号とが混信することになる。このとき、仮にこれら受信信号の位相差が大きくなってしまうと、希望波の受信電力が減少し、これが信号対雑音比の劣化に繋がる問題があった。よって、受信対象となる電波が希望波又は妨害波に関わらず、この種の時分割多重アレーアンテナにおいて、アンテナの指向性を最適な向きに設定することができる技術開発のニーズがあった。
【０００６】
また、アンテナの指向性を決める演算時、仮に演算量が多くなってしまうと、制御装置に負荷がかかったり、処理に時間を要したりするなどの諸問題が発生してしまう。このため、アンテナ指向性設定時に必要な演算量を少なく抑えたいニーズも同様にある。
【０００７】
本発明の目的は、アンテナの指向性を所望の方向に適宜設定することができ、かつ指向性設定時に行う演算量も少なく抑えることができるアレーアンテナを提供することにある。
【課題を解決するための手段】
【０００８】
前記問題点を解決するために、本発明では、複数のアンテナと共用の１つの受信回路との間に、複数のスイッチを有するスイッチ回路を接続し、前記アンテナを前記スイッチによって選択的に前記受信回路に接続することにより、当該スイッチによる時分割多重によって電波を受信する時分割多重のアレーアンテナにおいて、電波受信時の各アンテナの位相を算出し、前記スイッチの切換順序を、前記位相が進む方向又は遅れる方向の固定の一方向に設定することにより、どのアンテナを切換順序１番としても受信電力を同様とするスイッチ切換順序設定手段を備えたことを要旨とする。
【０００９】
本発明の構成によれば、時分割多重のアレーアンテナにおいて、スイッチの切換順序の最適化が可能となるので、アレーアンテナを所望の指向性に設定することが可能となる。よって、例えば希望波を感度よく受信したり、指向性を妨害波の方向に向かせたりするなど、必要とする指向性に適宜設定することが可能となる。また、スイッチ切換順序を決める際、スイッチ切換順序は１通り求めれば済むので、アンテナ指向性を設定する際に行う演算を簡素化することも可能となる。
【００１０】
本発明では、前記スイッチ切換順序設定手段は、前記スイッチ切換順序を変更する前の順序において相関ベクトルを求め、前記相関ベクトルを基に前記スイッチ切換順序を設定することを要旨とする。この構成によれば、必要とするスイッチ切換順序を、相関ベクトルを用い、精度よく設定することが可能となる。
【００１１】
本発明では、前記スイッチ切換順序設定手段は、前記スイッチ切換順序を変更する前の順序において受信信号の到来方向推定を行い、その推定した方向から算出されたモードベクトルを基に前記スイッチ切換順序を設定することを要旨とする。この構成によれば、必要とするスイッチ切換順序を、モードベクトルを用い、精度よく設定することが可能となる。
【００１２】
本発明では、複数の前記アンテナの配置が点対称となっていることを要旨とする。この構成によれば、アンテナが配置される面内で受信電力が均一になり易い。よって、全方向に対して受信電力がなるべく均一になる。
【００１３】
本発明では、アダプティブ制御によって信号を処理するアダプティブ方式であることを要旨とする。この構成によれば、アレーアンテナをアダプティブアレーアンテナとしたので、アンテナの指向性を、アダプティブ制御によって受信電波に応じた向きに精度よく設定することが可能となる。
【００１４】
本発明では、前記アンテナの配列形状を円形状とすることにより、全方向に対して受信電力が均一となり得る順序に設定されていることを要旨とする。この構成によれば、どの方向から送信される電波であっても、感度よく受信することが可能となる。
【００１５】
本発明では、前記スイッチ切換順序設定手段は、まず、全方向に対して受信電力が均一となったスイッチ切換順序で電波を受信し、この受信信号を基に、必要とする最終的なスイッチ切換順序を設定することを要旨とする。この構成によれば、スイッチ切換順序を設定するのに必要な電波を、より確実に受信することが可能となるので、処理の信頼性を確保することが可能となる。
【発明の効果】
【００１６】
本発明によれば、アンテナの指向性を所望の方向に適宜設定することができ、かつ指向性設定時に行う演算量も少なく抑えることができる。
【図面の簡単な説明】
【００１７】
【図１】一実施形態のアダプティブアレーアンテナの構成図。
【図２】スイッチ制御信号の時間波形図。
【図３】サンプリング信号の時間波形図。
【図４】受信電力の到来方向による変化を表すグラフ。
【図５】Φ−１の具体例を示す例示図。
【図６】（ａ），（ｂ）は各アンテナの相関ベクトルの位相関係を示す説明図。
【図７】（ａ）はアンテナ♯１が切換順序１番のときのスイッチ切換順序を示す説明図、（ｂ）はアンテナ♯３が切換順序１番のときのスイッチ切換順序を示す説明図。
【図８】本例のスイッチ切換順序の概念を示す説明図。
【図９】スイッチ切換順序の設定手順を示すフローチャート。
【図１０】（ａ），（ｂ）はアンテナの配列図。
【図１１】受信電力の到来方向による変化を表すグラフ。
【図１２】時分割多重を用いる単一受信機のシミュレーションモデル図。
【図１３】シミュレーション条件を示す表。
【図１４】相関ベクトルの位相とスイッチ切換順序の選択結果を示す表。
【図１５】受信電力の到来方向による変化を表すグラフ。
【図１６】MMSEアルゴリズムで形成された指向性を示すグラフ。
【図１７】TDM-AAAにおけるSNR-BERの特性図。
【発明を実施するための形態】
【００１８】
以下、本発明をアダプティブアレーアンテナに具体化した一実施形態を図１〜図１７に従って説明する。
[時分割多重アダプティブアレーアンテナの概要]
図１に示すように、アダプティブアレーアンテナ１は、複数のアンテナ（アンテナ素子）２を備え、各アンテナ２の重み付けを伝播環境に応じてアダプティブ制御することにより、目的の希望波の到来方向に指向性を向けたり、不要な電波の到来方向にヌル点を向けて除去したりすることで、高い通信特性を持つアンテナとして機能する。本例のアダプティブアレーアンテナ１は、複数のアンテナ２で１つの受信回路３を共用し、受信信号を時間単位で区切ることにより、１つの伝送路で通信する時分割多重式でもある。
【００１９】
時分割多重式のアダプティブアレーアンテナ１において、アンテナ２の個数をＫ（Ｋは任意の奇数）とすると、ｋ番目のアンテナ２の受信信号は、次式(1)のように表される。
【００２０】
【数１】
0005827167.tif 000002
ここで、ｆｋ(t)は、ｋ番目のアンテナ２における受信ベースバンド信号である。また、cos(ωｃｔ)は、搬送波を表し、ωｃは搬送波の角周波数を表す。
【００２１】
各アンテナ２には、通過帯域幅がＷの第１バンドパスフィルタ４が各々接続されている。これら第１バンドパスフィルタ４は、アンテナ２で受信した受信信号ｆｋ(ｔ)cos(ωｃｔ)を通過帯域幅Ｗでフィルタし、Ｗに準じた周波数のみを通過させる。
【００２２】
受信ベースバンド信号ｆｋ(ｔ)の周波数帯域幅Ｗ”は、第１バンドパスフィルタ４の通過帯域幅Ｗよりも小さい。よって、受信信号ｆｋ(ｔ)cos(ωｃｔ)は、第１バンドパスフィルタ４をそのまま通過する。
【００２３】
複数のこれら第１バンドパスフィルタ４と受信回路３との間には、第１バンドパスフィルタ４（アンテナ２）の接続を選択的に切り換えるスイッチ回路５が接続されている。スイッチ回路５は、受信回路３の１構成要素であって、第１バンドパスフィルタ４ごとにスイッチ６を複数有する。これらスイッチ６は、クロック回路７から入力するスイッチ制御信号ｇｋ(ｔ)によってスイッチ制御される。
【００２４】
ここで、図２に示すように、ｋ番目のスイッチ６を、矩形波状のＯＮ時間τ、周期ＴＳで切り換えを行うとすると、スイッチ制御信号ｇｋ(ｔ)は、次式(2)により表される。なお、次式のｒは、任意の整数である。
【００２５】
【数２】
0005827167.tif 000003
ここで、スイッチ切換周波数をＷ’（Ｗ’＝１／ＴＳ）とすると、スイッチ切換周期ＴＳは、Ｗ’＞Ｗを満たすように適切に設定する必要がある。
【００２６】
各アンテナ２の受信信号ｆｋ(ｔ)cos(jωｃｔ)は、スイッチ通過時にスイッチ制御信号ｇｋ(ｔ)を乗算された後、Ｋ個のアンテナ２からの信号が合成される。この合成信号ｈ(ｔ)は、次式(3)のように表される。
【００２７】
【数３】
0005827167.tif 000004
受信回路３には、周波数帯域幅がＫＷ’の第２バンドパスフィルタ８が設けられている。第２バンドパスフィルタ８は、１つのみ設けられ、複数のスイッチ６において共用される。合成信号ｈ(ｔ)は、第２バンドパスフィルタ８を通過すると、出力信号ｈ’(ｔ)として出力される。出力信号ｈ’(ｔ)は、次式(4)，(5)のように表される。
【００２８】
【数４】
0005827167.tif 000005
【００２９】
【数５】
0005827167.tif 000006
受信回路３には、出力信号ｈ’(ｔ)を増幅するアンプ９と、増幅後の出力信号ｈ’(ｔ)をＩＦ（Intermediate Frequency）周波数にダウンコンバートするコンバータ１０と、ＩＦ周波数の信号を通過させるＩＦバンドパスフィルタ１１と、ＩＦ周波数を直交ダウンコンバートする一対のコンバータ１２，１２とが設けられている。各コンバータ１２，１２には、各コンバータ１２，１２からの出力をフィルタリングするローパスフィルタ１３，１３が接続されている。各ローパスフィルタ１３，１３には、フィルタリングされた信号をＡ／Ｄ変換するＡ／Ｄコンバータ１４，１４が各々接続されている。
【００３０】
ローパスフィルタ１３が出力するベースバンド信号ｈ"(ｔ)は、アンプの増幅やフィルタの損失を無視すれば、次式(6)のように表される。
【００３１】
【数６】
0005827167.tif 000007
ベースバンド信号ｈ"(ｔ)は、Ａ／Ｄコンバータ１４において、サンプル出力部１５により周期ＴＳでサンプリングされる。即ち、Ａ／Ｄコンバータ１４から出力される信号は、サンプル出力部１５により、各アンテナ２の信号として分岐／出力される。このサンプリング信号ｚｉ(ｔ)は、次式(7)のように表される。
【００３２】
【数７】
0005827167.tif 000008
図３に示すように、サンプリング信号ｚｉ(ｔ)は、それぞれＴＳ／Ｋずつタイミングのずれた信号である。実際、Ａ／Ｄコンバータ１４は、次式(8)で表されるｚ(ｔ)でサンプリングを行う。
【００３３】
【数８】
0005827167.tif 000009
さて、ベースバンド信号ｈ"（ｔ）をサンプリング信号ｚｉ(ｔ)でサンプルしたサンプル信号ｘｉ(ｔ)は、次式(9)，(10)のように表される。
【００３４】
【数９】
0005827167.tif 000010
【００３５】
【数１０】
0005827167.tif 000011
サンプル信号ｘｉ(ｔ)は、式(10)からも分かる通り、各アンテナ２の受信ベースバンド信号ｆｋ(ｔ)が混在された形で得られる。ここで、一見、スイッチ６のＯＮ時間τを、τ＜（ＴＳ／Ｋ）とすれば、２つのスイッチが同時に接続されることはなく、受信ベースバンド信号ｆｋ(ｔ)の混合は生じないように思われるが、実際にはフィルタを通過する際の波形なまりにより、受信ベースバンド信号ｆｋ(ｔ)の混合が生じる。
【００３６】
ところで、背景技術で挙げた非特許文献１は、各アンテナ系統と共用化されたアナログ回路とを接続するスイッチ６のＯＮ時間が、非常に短い場合に限定して検討がなされている。これは、スイッチ６のＯＮ時間を長くとってしまうと、各アンテナの受信信号が混在されるためである。よって、非特許文献１は、スイッチ６での損失が非常に大きいという課題があった。加えて、非特許文献１では、各アンテナ系統に設けられていたアンプを、さらなるアナログ回路削減を目的に共用化する場合、再生された受信信号のSNR(Signal-to-Noise Ratio（信号対雑音比）)に著しい劣化が生じてしまう。
【００３７】
そこで、本出願人は、スイッチ６のＯＮ時間が任意であっても、後処理を工夫することにより、各アンテナ２の受信信号を混合から分離し、完全に再生可能とする技術（M-TDM-AAA：Modified Time-Division Multiplexing Adaptive Array Antenna）を提案している（特願２０１１−１８９７６０参照）。この方法を採用すれば、スイッチ６のＯＮ時間を任意に設定可能であるので、スイッチ６のＯＮ時間を最大限に長くすることにより、時分割多重によるSNRの劣化を低減できるとしている。
【００３８】
しかし、この方法の場合、仮にスイッチ６の切り換え前後のアンテナ２における希望波の位相差が大きくなってしまうと、希望波の受信電力Ｐが減少してしまう問題があった。そこで、本例においては、各アンテナ２の受信信号の混合を除去するのではなく、混合を積極的に利用することでSNRの劣化を更に低減する。即ち、本例の技術は、これまでアンテナ番号順であったスイッチ６の切換順序を、受信信号に応じた適切な順序に設定することで対処する。
【００３９】
アダプティブアレーアンテナ１には、電波到来方向をアダプティブ制御により演算して、アレーアンテナ１の機能（動作状態）を設定するアダプティブプロセッサ１６が設けられている。アダプティブプロセッサ１６は、サンプル出力部１５から入力したアンテナ２ごとのＩ相信号及びＱ相信号を基に、希望波や不要な電波（妨害波）の電波到来方向を演算し、アダプティブアレーアンテナ１の機能を設定する。
【００４０】
［時分割多重を用いる受信機における受信電力の到来方向による変化］
次に、TDM-AAAにおいて受信波の到来方向により受信電力Ｐが変化することを説明する。単一の受信回路３における受信信号ベクトルＸ(ｔ)は、次式(11)〜(19)により表される。なお、次式においては、スイッチ切換周波数１／ＴＳの高調波成分を表す整数をｎとし、Ｔを転置とする。
【００４１】
【数１１】
0005827167.tif 000012
【００４２】
【数１２】
0005827167.tif 000013
【００４３】
【数１３】
0005827167.tif 000014
【００４４】
【数１４】
0005827167.tif 000015
【００４５】
【数１５】
0005827167.tif 000016
【００４６】
【数１６】
0005827167.tif 000017
【００４７】
【数１７】
0005827167.tif 000018
【００４８】
【数１８】
0005827167.tif 000019
【００４９】
【数１９】
0005827167.tif 000020
いま、アレー形状を半波長等間隔リニアアレーとし、１つの到来波がボアサイト方向となす角θで到来する場合、各アンテナ２の受信ベースバンド信号ｆｋ(ｔ)を要素とするベクトルＦ(Δｔ)は、モードベクトルａ(θ)及び到来信号ｆ(Δｔ)を用いて次式(20)，(21)のように表される。
【００５０】
【数２０】
0005827167.tif 000021
【００５１】
【数２１】
0005827167.tif 000022
ここで、アダプティブアレーアンテナ１の受信電力Ｐを次式(22)のように定義する。なお、式(22)において、Ｅ[・]は期待値を表し、Ｈは複素共役転置を表す。
【００５２】
【数２２】
0005827167.tif 000023
アンテナ数Ｋ＝１３の場合、受信電力Ｐは到来波の到来方向θにより、図４のように変化する。即ち、同図に示されるように、到来方向が０°に近い場合には、受信電力Ｐが大きく、到来方向が０°から離れるに連れて、受信電力Ｐが小さくなることが確認できる。これは、０°の場合には、各アンテナ２の受信信号が全て同位相であることから、信号が混在された場合に強め合うことが原因と考えられる。一方、到来方向が０°から離れていき、例えば±９０°の場合には、隣り合うアンテナ２、つまりスイッチ切り換えの直前と直後とのアンテナの受信信号が全て逆位相となる。信号の混合量は、スイッチ切り換えの直前と直後のアンテナ２からのものが最も多くなるので、到来方向が±９０°に近づくと、受信電力Ｐが小さくなると考えられる。
【００５３】
この考察により、受信信号の混合が生じる場合には、スイッチ切り換えの直前と直後との信号位相差がなるべく同位相となるようにスイッチ切換順序を設定（変更）すれば、アダプティブアレーアンテナ１の受信電力Ｐを増大させることが可能となると予想される。
【００５４】
図５に、アンテナ数Ｋ＝１３の場合の行列Φ−１の各要素の値を示す。Φ−１は巡回行列であるためその一部のみを示し、値は有効数字１桁で表示している。Φ−１は前述の式(11)からも分かる通り、各アンテナ２の受信ベースバンド信号Ｆ(Δｔ)がどのように混合されるかを表している。
【００５５】
図５に示されるように、非対角要素が「０」である場合には受信信号の混合は生じないが、実際には少しずつ混合されることが分かる。特徴としては、Φ−１の非対角要素のうち、対角要素と隣接する要素の絶対値が、その他の非対角要素と比較し、かなり大きいことが挙げられる。これは、スイッチ切換順序が直前及び直後のアンテナ２の受信信号からの混合が大きな割合を占めることを意味する。このことからも、スイッチ切換前後のアンテナ２の受信信号がなるべく同位相となるようにスイッチ切換順序を変更することは、受信電力Ｐの向上に有効と考えられる。
【００５６】
[スイッチ切換順序を考慮した受信信号ベクトルＸ(ｔ)の数式表現]
スイッチ切換順序の変更は、数学的な観点からすると、前述の式(1)においてベクトルＦ(Δｔ)の要素を置換することと等価である。いま、p，u~pを、−μからμの範囲の整数とし、ベクトルｕ≡［−μ，…，ｐ，…，μ］Ｔと、これを並べ替えたベクトルu~≡［u~−μ，…，u~p，…，u~μ］Ｔとを考える。このとき、ｕからu~への置換を表すＫ次正方行例をＶとし、Ｖの第ｌ行及び第ｍ列の要素をｖｌ，ｍとすると、ｖｌ，ｍ及びu~は、次式(23)，(24)のように表される。なお、前述のu~は、uの上に~が付された記号とする。
【００５７】
【数２３】
0005827167.tif 000024
【００５８】
【数２４】
0005827167.tif 000025
スイッチ切換順序を入れ換えた場合の受信信号は、置換行列Ｖを用いると、次式(25)のように表される。
【００５９】
【数２５】
0005827167.tif 000026
なお、スイッチ切換順序が従来通りアンテナ番号順である場合には、Ｖ＝Ｉ（Ｉは単位行列）となる。
【００６０】
［スイッチ切換順序の最適化方法］
前述したように、受信信号の位相変化がなるべく小さくなるようにスイッチ切換順序を最適化すれば、受信電力Ｐの向上が可能と考えられる。そこで、ここからは、最適なスイッチ切換順序の決定方法を示す。
【００６１】
MMSE(Minimum Mean Square Error)アダプティブアレーアンテナにおける相関ベクトルｒｘｒは、スイッチ切換順序がアンテナ番号順である（Ｖ＝Ｉ）とすると、次式(26)により表される。なお、式(26)において、ｒ(ｔ)は参照信号を表し、＊は複素共役を表す。
【００６２】
【数２６】
0005827167.tif 000027
相関ベクトルｒｘｒは、式(26)からも分かるように、入力信号と参照信号との間の相関を表す。相関ベクトルｒｘｒは、到来する希望波が１波の場合、モードベクトルａ(θ)を用いて次式(27)のように表される。なお、式(27)において、ξは複素定数を表す。
【００６３】
【数２７】
0005827167.tif 000028
モードベクトルａ(θ)は到来方向θに対する各アンテナ２の応答を表すので、相関ベクトルｒｘｒを求めることで各アンテナ２間の希望波の受信位相が算出可能であることが確認できる。そして、本例の場合は、この相関ベクトルｒｘｒを用い、スイッチ６の切換順序を最適に設定する。
【００６４】
［スイッチ切換順序設定に関係する具体的説明］
ここで、図６（ａ），（ｂ）に、例えばアンテナ本数13素子、電波到来方向70°のときの各アンテナ２の相関ベクトルｒｘｒの位相関係を示す。これを前提にし、図７（ａ）に示すように、例えばアンテナ「♯１」をスイッチ切換順序１番とし、位相が最も近いアンテナを順に選択していくと、このときのスイッチ切換順序は受信電力Ｐが最大となる順序となる。
【００６５】
一方で、図７（ｂ）に示すように、アンテナ「♯３」をスイッチ切換順序１番とした場合、切換順序２番目のアンテナが「♯１」（但し「♯５」となることもある）となり、切換順序３番目のアンテナが「♯５」となる。よって、このときは、♯１及び♯５の位相差（位相関係）が大きく離れているので、受信電力Ｐにロスが発生してしまう。
【００６６】
このように、複数のアンテナ２のうち何れをスイッチ切換順序１番とするかによって、受信する希望波の受信電力Ｐが変化する。このため、最も受信電力Ｐが高いスイッチ切換順序が何れなのかを確認する場合、例えば各アンテナ２をそれぞれスイッチ切換順序１番にして全通り確認すれば、最適なスイッチ切換順序の抽出が可能となる。しかし、この場合、演算量が多くなるので、演算負荷が大きくなったり、演算時間が長くかかったりするなどの問題が発生する。
【００６７】
そこで、図８に示すように、本例のスイッチ切換順序は、相関ベクトルｒｘｒの位相が進む方向又は遅れる方向の固定の一方向に設定する方式を採用する。これにより、どのアンテナ２をスイッチ切換順序１番にしても、同様の受信電力Ｐを得ることができるようになるので、スイッチ切換順序１番を決めてスイッチ順序を求める演算を全通り実施せずに済み、演算負荷が軽減する。
【００６８】
図１に示すように、アダプティブプロセッサ１６には、スイッチ切換順序を設定する際に必要な相関ベクトルｒｘｒを算出する相関ベクトル算出部１７が設けられている。本例の相関ベクトル算出部１７は、スイッチ切換順序を設定する始めにおいて、スイッチ切換順序をアンテナ番号順として信号を受信し、相関ベクトルｒｘｒを算出する。なお、相関ベクトル算出部１７がスイッチ切換順序設定手段を構成する。
【００６９】
クロック回路７には、相関ベクトル算出部１７が求めた相関ベクトルｒｘｒを基に、スイッチ切換順序を設定するスイッチ切換順序設定部１８が設けられている。本例のスイッチ切換順序設定部１８は、所定アンテナをスイッチ切換順序１番と決め、そのアンテナ２から位相が進む方向又は遅れる方向において最も位相差が小さいアンテナ２を次に切り換えるアンテナ２とし、その方向に沿う順序をスイッチ切換順序に設定する。即ち、スイッチ切換順序の設定に前述の制約を加える。なお、スイッチ切換順序設定部１８がスイッチ切換順序設定手段を構成する。
【００７０】
続いて、スイッチ切換順序が決定されるまでの動作を、図９のフローチャートを用いて説明する。
ステップ１０１において、相関ベクトル算出部１７は、スイッチ切換順序をアンテナ番号順として信号を受信し、相関ベクトルｒｘｒを算出する。相関ベクトル算出部１７は、求めた相関ベクトルｒｘｒの値を、スイッチ切換順序設定部１８に出力する。
【００７１】
ステップ１０２において、スイッチ切換順序設定部１８は、切換順序１番のアンテナ２を選択する。ここでは、図７に示すように、例えば♯１のアンテナ２が切換順序１番のアンテナとして選択されたとする。
【００７２】
ステップ１０３において、スイッチ切換順序設定部１８は、選択されたアンテナ２と未選択のアンテナ２との位相差を算出する。
ステップ１０４において、スイッチ切換順序設定部１８は、位相差が最小であるアンテナ２を次に切り換えるアンテナ２として選択する。本例の図８の例では、♯３のアンテナ２が次に切り換えるアンテナ２として選択される。
【００７３】
ステップ１０５において、スイッチ切換順序設定部１８は、スイッチ切換順序を１番に設定したアンテナ２から固定の一方向という制約条件下のもと、全アンテナ２の切換順序が決まるまで、ステップ１０３及びステップ１０４を繰り返す。そして、全アンテナ２の切換順序が決定された時点で、あるアンテナ２が切換順序１番のときの最も位相変化が小さくなる切換順序が決定する。図８の例では、♯３→♯５→♯７→♯９→♯１１→♯１３→♯２→♯４→♯６→♯８→♯１０→♯１２→♯１の切換順序に決まる。そして、スイッチ切換順序が決定されれば、その順序で信号を再度受信し、アダプティブ処理を行う。
【００７４】
ちなみに、受信電力Ｐは、次式(28)，(29)により求まる。
【００７５】
【数２８】
0005827167.tif 000029
【００７６】
【数２９】
0005827167.tif 000030
なお、ＸはＫ次の列ベクトル（Ｋ：アンテナ数）であるので、式(28)，(29)を用いて演算を行えば、各切換順序の受信電力Ｐが求まる。また、式(28)は、ｒｘｒＨΦＨＶＨ（Φ−１）２ＶΦｒｘｒと同義である。
【００７７】
［アンテナの配列形状］
アンテナ２の配列形状は、図１０（ａ）に示すような直線状をとしてもよいし、図１０（ｂ）に示すような点対称配置の一例として円形状としてもよい。ちなみに、本例で言うアンテナ番号順とは、これら図に示す並び方向順のことである。図１１に示すように、アンテナ２の配列形状を円形状とした場合（同図の実線）、直線形状の場合（同図の一点鎖線）に比べて、受信電力Ｐの均一化に効果が高くなる。これは、アンテナ２が配置される面内で、均一に電波を受信できるからと考えられる。
【００７８】
［シミュレーション］
続いて、計算機シミュレーションにより本例の技術の評価を行う。本例の場合、計算負荷軽減のため、回路構成を図１から図１２のように変更し、シミュレーションを実施する。ここでは、ダウンコンバート用のコンバータ１０，１２を削除する。このため、各アンテナ２における受信信号は、電波の到来角度による所定の位相差を有するベースバンド信号とする。スイッチ６での波形変化とフィルタ４，８での帯域制限は、行列ΨＳΓ−Ｖの乗算に置き換える。また、Ａ／Ｄコンバータ１４でのサンプリング時に発生するエイリアシングによる波形変化はΓ＋の乗算に置き換えることとする。さらに、時分割処理で発生する各アンテナ２の受信信号のサンプルタイミングの差異はないとする。熱雑音については、アンプ部でそれぞれ無相関のホワイトガウシアンノイズが付加されることとする。
【００７９】
図１３に、シミュレーション諸元を示す。アレーアンテナ１は13素子等間隔リニアアレーとし、アンテナ間隔は0．5波長とする。また、スイッチ切換周期は1μsecとし、スイッチ６のＯＮ時間比率Ψは1／13(＝常にいずれかのアンテナ２が接続された状態)とする。到来波は２波で、FSK（Frequency Shift Keying）変調された希望波と、広帯域ノイズである妨害波が到来する。なお、妨害波の電力は希望波に対して＋30dBとする。アダプティブアレーアルゴリズムとしてはMMSEアルゴリズムを採用し、最適ウェイトの決定法としてはSMI(Sample Matrix Inversion)アルゴリズムを採用する。
【００８０】
まず、TDM-AAAにおいて、スイッチ切換順序の最適化アルゴリズムが正しく動作していることを確認する。図１４に、SNR＝12dBのときの、ある試行における相関ベクトルｒｘｒの位相と、決定されたスイッチ切換順序とを示す。なお、理想値は、妨害波及び熱雑音ともに存在しない状態での値を表す。また、ここではスイッチ切換順序１番を「♯１」のアンテナとしている。同図に示されるように、相関ベクトル位相の理想値との差異は最大でも１°であり、切換順序も正しく決定されていることが分かる。また、切換順序がアンテナ番号順の場合には170°程度ある切換前後の信号の位相差は、切換順序を最適化した場合、20°程度まで減少することが分かる。
【００８１】
図１５に、最適化された切換順序でのアレーアンテナ１の受信電力Ｐの到来方向依存性を示す。同図に示されるように、図４とは異なり、図１５では希望波が到来する−70°方向の受信電力Ｐが向上していることが確認される。
【００８２】
図１６に、MMSEアルゴリズムにより形成されたアレーアンテナ１の指向性を示す。同図に示されるように、希望波の方向にビームが形成され、妨害波の到来方向に指向性ヌルが形成されており、MMSEアルゴリズムが良好に動作していることが確認される。
【００８３】
図１７に、TDM-AAAにおけるスイッチ切換順序の最適化の有無によるBER(Bit Error Rate)特性の違いを示す。同図に示されるように、スイッチ切換順序がアンテナ番号順である場合の「＋印」と比較し、スイッチ切換順序を最適化した場合には、約３dB、特性が改善することが確認でき、本例の技術の有効性が確認される。この３dBという値は、図４及び図１５における−70°方向の受信電力Ｐの差異とほぼ等しく、特性の改善は希望波の受信電力Ｐの増加によるものと考えられる。また、図１７の「×印」は、スイッチ切換順序を理想的な順序に固定した場合の特性である。スイッチ切換順序を固定した場合と、アルゴリズムにより最適化した場合の特性との間に差異は見られず、スイッチ切換順序の最適化アルゴリズムが正しく動作していることが確認される。
【００８４】
本実施形態の構成によれば、以下に記載の効果を得ることができる。
（１）時分割多重アダプティブアレーアンテナ１において、スイッチ６の切換順序を単なるアンテナ番号順ではなく、ある特定の指向性を有する順番に設定可能とした。このため、時分割多重アダプティブアレーアンテナ１を、所望の指向性に設定することができる。よって、例えば希望波を感度よく受信したり、指向性を妨害波の方向に向かせたりするなど、必要とする指向性に適宜設定することができる。また、切換順序を１番に設定したアンテナから固定の一方向（位相の進む方向又は遅れる方向）を、スイッチ切換順序に設定する。よって、スイッチ切換順序は１通り求めれば済むので、スイッチ切換順序の演算を簡素化することもできる。
【００８５】
（２）相関ベクトルｒｘｒを使用してスイッチ切換順序を決めるので、必要とするスイッチ切換順序を精度よく設定することができる。
（３）アンテナ２の配置を図１０（ｂ）に示す円形配置とすれば、アンテナ２が配置される面内で受信電力Ｐが均一（等方的）になり易い。よって、全方向に対して受信電力Ｐがなるべく均一になるので、どの方向からの電波も感度よく受信することができるようになる。
【００８６】
（４）アレーアンテナ１をアダプティブアレー方式としたので、アレーアンテナ１の指向性を、アダプティブ制御によって受信電波に応じた向きに精度よく設定することができる。
【００８７】
なお、実施形態はこれまでに述べた構成に限らず、以下の態様に変更してもよい。
・スイッチ切換順序は、相関ベクトルｒｘｒを使用する方式に限定されない。例えば、ステップ１０１の処理を、電波到来方向推定の処理に置き換え、推定した方向から算出したモードベクトルａ(θ)を使用して、スイッチ切換順序を設定してもよい。
【００８８】
・スイッチ切換順序１番のアンテナは、任意に設定可能である。
・全方向に対する受信電力Ｐの均一化は、アンテナ２の配列を円形状とすることにより実現することに限定されない。例えば、アンテナ２の配列が直線形状となっていても、全方向に対する受信電力Ｐの均一化するスイッチ切換順序に設定することで実現してもよい。
【００８９】
・ステップ１０１のスイッチ切換順序は、アンテナ番号順に限定されない。例えば、全方向に対して受信電力Ｐがなるべく均一になるスイッチ切換順序で信号を受信し、この受信信号を基に相関ベクトルｒｘｒを算出してもよい。
【００９０】
・ステップ１０１の処理は、プリアンブル信号で実施してもよいし、実際の通信データで実施してもよい。
・受信回路３は、直交ダウンコンバータ１２，１２ではなく、通常のコンバータにて信号をダウンコンバートする回路でもよい。
【００９１】
・受信回路３は、ベースバンド信号をＡ／Ｄコンバータ１４でサンプルする構成に限らず、例えばＩＦ信号をサンプルする構成や、第２バンドパスフィルタ８から出力される（Radio Frequency）信号をサンプルする構成でもよい。
【００９２】
・複数のアンテナ２と受信回路３とは、スイッチ回路５により一対一接続されることに限定されず、例えば複数のアンテナ２を受信回路３に同時接続するようにしてもよい。
・アンテナ素子数Ｋは、任意の奇数に限らず、任意の偶数であってもよい。
【００９３】
・スイッチ６のＯＮ時間τ（ＯＮ時間比率Ψ）は、実施形態に述べた例に限定されず、他の時間幅に適宜変更可能である。
・第２バンドパスフィルタ８の周波数帯域幅は、例えば第１バンドパスフィルタ４の周波数帯域に係数のＫを乗算した値でもよい。
【００９４】
・アンテナ２の後段に位相器、減衰器、増幅器を追加してもよい。この場合、指向性自由度がさらに増大するとともに、スイッチ切り換えにより形成されるビームの方向を、より柔軟に制御することができる。
【００９５】
・アンテナ２の後段に、アンテナ２の複数のアンテナ出力を合成し、単一あるいは複数の出力を得る回路を追加してもよい。この場合、スイッチ切り換えにより形成されるビームの方向を、より柔軟に制御することができる。
【００９６】
・本例のアレーアンテナは、アダプティブアレーアンテナ１に限定されず、例えば固定アンテナを使用したアレーアンテナなど、他の種類に変更してもよい。
・スイッチ切換順序の設定は、いつ実施されてもよい。
【００９７】
・実施例で記載した種々の演算は、等価的であれば、他の演算式に適宜変更可能である。
・アダプティブアレーアンテナ１は、車両や電子キーの受信機として使用されることに限定されず、他の機器や装置に適宜応用可能である。
【００９８】
・本例のアダプティブアレーアンテナ１は、種々の装置やシステムに採用可能である。
次に、上記実施形態及び別例から把握できる技術的思想について、それらの効果とともに以下に追記する。
【００９９】
（イ）複数のアンテナと共用の１つの受信回路との間に、複数のスイッチを有するスイッチ回路を接続し、前記アンテナを前記スイッチによって選択的に前記受信回路に接続することにより、当該スイッチによる時分割多重によって電波を受信する時分割多重のアレーアンテナのスイッチ切換順序設定方法において、電波受信時の各アンテナの位相を算出し、前記スイッチの切換順序を、前記位相が進む方向又は遅れる方向の固定の一方向に設定することを特徴とするアレーアンテナのスイッチ切換順序設定方法。
【符号の説明】
【０１００】
１…アレーアンテナ（時分割多重アダプティブアレーアンテナ）、２…アンテナ、３…受信回路、５…スイッチ回路、６…スイッチ、１７…スイッチ切換順序設定手段を構成する相関ベクトル算出部、１８…スイッチ切換順序設定手段を構成するスイッチ切換順序設定部、ｒｘｒ…相関ベクトル、ａ(θ)…モードベクトル、Ｐ…受信電力。
【図１】
0005827167.tif 000031
【図２】
0005827167.tif 000032
【図３】
0005827167.tif 000033
【図４】
0005827167.tif 000034
【図５】
0005827167.tif 000035
【図６】
0005827167.tif 000036
【図７】
0005827167.tif 000037
【図８】
0005827167.tif 000038
【図９】
0005827167.tif 000039
【図１０】
0005827167.tif 000040
【図１１】
0005827167.tif 000041
【図１２】
0005827167.tif 000042
【図１３】
0005827167.tif 000043
【図１４】
0005827167.tif 000044
【図１５】
0005827167.tif 000045
【図１６】
0005827167.tif 000046
【図１７】
0005827167.tif 000047